(57)【要約】  基地局装置は、システム帯域の全部又は一部を用いて通信が行われる移動通信システムで使用される。基地局装置は、ユーザ装置から帯域間ハンドオーバを要求する要求信号を受信する手段と、要求信号に応じてハンドオーバ移行先候補の１以上の周辺基地局に指示信号を送信する手段と、指示信号に対する応答信号を１以上の周辺基地局から受信する手段と、ハンドオーバ移行先候補でのチャネル測定用信号の周波数情報を少なくとも含む個別制御信号を、応答信号に応じてユーザ装置に送信する手段とを有する。指示信号に応じてチャネル測定用信号が１以上の周辺基地局から周波数情報の周波数で送信される。
2008056411.tif 000002
【特許請求の範囲】
【請求項１】
システム帯域の全部又は一部を用いて通信が行われる移動通信システムで使用される基地局装置であって、
ユーザ装置から帯域間ハンドオーバを要求する要求信号を受信する手段と、
前記要求信号に応じてハンドオーバ移行先候補の１以上の周辺基地局に指示信号を送信する手段と、
前記指示信号に対する応答信号を１以上の周辺基地局から受信する手段と、
ハンドオーバ移行先候補でのチャネル測定用信号の周波数情報を少なくとも含む個別制御信号を、前記応答信号に応じて前記ユーザ装置に送信する手段と、
を有し、前記指示信号に応じて前記チャネル測定用信号が１以上の周辺基地局から前記周波数情報の周波数で送信される
ことを特徴とする基地局装置。
【請求項２】
１以上の周辺基地局各々から送信されるチャネル測定用信号の周波数情報が、前記要求信号の受信前に既知である
ことを特徴とする請求項１記載の基地局装置。
【請求項３】
１以上の周辺基地局各々から送信されるチャネル測定用信号の周波数情報が、前記要求信号の受信前には未知である
ことを特徴とする請求項１記載の基地局装置。
【請求項４】
前記個別制御信号は、チャネル測定用信号の周波数情報及び送信タイミング情報を含む
ことを特徴とする請求項１記載の基地局装置。
【請求項５】
前記システム帯域に複数の周波数ブロックが含まれ、各周波数ブロックには複数の周波数リソースブロックが含まれ、当該基地局装置は、ユーザ装置に対して決定した周波数ブロック内で１以上の周波数リソースブロックをユーザ装置に割り当てる
ことを特徴とする請求項１記載の基地局装置。  
【請求項６】
前記要求信号に前記ユーザ装置の在圏セルを示す情報が含まれている
ことを特徴とする請求項１記載の基地局装置。
【請求項７】
少なくとも１つの周辺基地局でチャネル測定用信号の無線リソースが探索され、探索結果により決定された無線リソースを示す情報が、前記個別制御信号に含まれる
ことを特徴とする請求項３記載の基地局装置。
【請求項８】
前記送信タイミング情報により、前記チャネル測定用信号が断続的な所定の期間内に無線送信されることが示される請求項４記載の基地局装置。
【請求項９】
前記送信タイミング情報により、前記チャネル測定用信号が断続的な所定の期間内でなくても無線送信されることが示される請求項８記載の基地局装置。
【請求項１０】
システム帯域の全部又は一部を用いて通信が行われる移動通信システムにおける基地局装置で使用される方法であって、
ユーザ装置から帯域間ハンドオーバを要求する要求信号を受信するステップと、
前記要求信号に応じてハンドオーバ移行先候補の１以上の周辺基地局に指示信号を送信するステップと、
前記指示信号に対する応答信号を１以上の周辺基地局から受信するステップと、
ハンドオーバの移行先候補でのチャネル測定用信号の周波数情報を少なくとも含む個別制御信号を、前記応答信号に応じて前記ユーザ装置に送信するステップと、
を有し、前記指示信号に応じて前記チャネル測定用信号が１以上の周辺基地局から前記周波数情報の周波数で送信される
ことを特徴とする方法。
【請求項１１】
システム帯域の全部又は一部を用いて通信が行われる移動通信システムで使用される基地局装置であって、
ユーザ装置の帯域間ハンドオーバの要求に起因してハンドオーバの移行元基地局から指示信号を受信する手段と、
少なくともチャネル測定用信号の周波数情報が前記ユーザ装置に通知されるように、前記指示信号に応じて応答信号を前記移行元基地局に送信する手段と、
前記指示信号に応じて前記チャネル測定用信号を前記周波数情報の周波数で送信する手段と、
を有し、前記チャネル測定用信号の周波数情報を少なくとも含む個別制御信号が、前記移行元基地局から前記ユーザ装置に送信される
ことを特徴とする基地局装置。
【請求項１２】
少なくとも１つの周辺基地局でチャネル測定用信号の無線リソースが探索され、探索結果により決定された無線リソースを示す情報が、前記応答信号に含まれる
ことを特徴とする請求項１１記載の基地局装置。
【請求項１３】
前記応答信号が、チャネル測定用信号の周波数情報及び送信タイミング情報を含む
ことを特徴とする請求項１１記載の基地局装置。
【請求項１４】
前記送信タイミング情報により、前記チャネル測定用信号が断続的な所定の期間内に無線送信されることが示される請求項１３記載の基地局装置。
【請求項１５】
前記送信タイミング情報により、前記チャネル測定用信号が断続的な所定の期間内でなくても無線送信されることが示される請求項１４記載の基地局装置。
【請求項１６】
システム帯域の全部又は一部を用いて通信が行われる移動通信システムにおける基地局装置で使用される方法であって、
ユーザ装置の帯域間ハンドオーバの要求に起因してハンドオーバの移行元基地局から指示信号を受信するステップと、
少なくともチャネル測定用信号の周波数情報が前記ユーザ装置に通知されるように、前記指示信号に応じて応答信号を前記移行元基地局に送信するステップと、
前記指示信号に応じて前記チャネル測定用信号を前記周波数情報の周波数で送信するステップと、
を有し、前記チャネル測定用信号の周波数情報を少なくとも含む個別制御信号が、前記移行元基地局から前記ユーザ装置に送信される
ことを特徴とする方法。
【請求項１７】
システム帯域の全部又は一部を用いて通信が行われる移動通信システムで使用されるユーザ装置であって、
帯域間ハンドオーバを要求する要求信号をハンドオーバの移行元基地局に送信する手段と、
１以上のハンドオーバ移行先候補でのチャネル測定用信号の周波数情報を少なくとも含む個別制御信号を、前記移行元基地局から受信する手段と、
ハンドオーバ移行先候補の１以上の周辺基地局から、前記周波数情報の周波数で前記チャネル測定用信号を受信する手段と、
を有することを特徴とするユーザ装置。
【請求項１８】
前記個別制御信号は、チャネル測定用信号の周波数情報及び送信タイミング情報を含む
ことを特徴とする請求項１７記載のユーザ装置。
【請求項１９】
前記要求信号に前記ユーザ装置の在圏セルを示す情報が含まれている
ことを特徴とする請求項１７記載のユーザ装置。
【請求項２０】
少なくとも１つの周辺基地局でチャネル測定用信号の無線リソースが探索され、探索結果により決定された無線リソースを示す情報が、前記個別制御信号に含まれる
ことを特徴とする請求項１７記載のユーザ装置。
【請求項２１】
前記送信タイミング情報により、前記チャネル測定用信号が断続的な所定の期間内に無線送信されることが示される請求項１８記載のユーザ装置。
【請求項２２】
前記送信タイミング情報により、前記チャネル測定用信号が断続的な所定の期間内でなくても無線送信されることが示される請求項２１記載のユーザ装置。
【請求項２３】
システム帯域の全部又は一部を用いて通信が行われる移動通信システムにおけるユーザ装置で使用される方法であって、
帯域間ハンドオーバを要求する要求信号をハンドオーバの移行元基地局に送信するステップと、
１以上のハンドオーバ移行先候補でのチャネル測定用信号の周波数情報を少なくとも含む個別制御信号を、前記移行元基地局から受信するステップと、
ハンドオーバ移行先候補の１以上の周辺基地局から、前記周波数情報の周波数で前記チャネル測定用信号を受信するステップと、
を有することを特徴とする方法。
【発明の詳細な説明】
【技術分野】
【０００１】
本発明は移動通信の技術分野に関し、特に帯域間ハンドオーバを行う移動通信システムで使用される基地局装置、ユーザ装置及び方法に関する。
【背景技術】
【０００２】
この種の技術分野では、次世代の移動通信システムに関する研究開発が急速に進められている。現在のところ想定されている通信システムでは、高速大容量化やマルチパス耐性の強化等の観点から下りリンクに直交周波数分割多重(OFDM: Orthogonal Frequency Division Multiplexing)方式を利用することが有望視されている。また、上りリンクに対してはピーク電力対平均電力比(PAPR:  Peak−to−Average  Power  Ratio)を抑制しつつカバレッジを広くする等の観点からシングルキャリア(SC-FDMA:Single-Carrier Frequency Division Multiple Access)方式を利用することが有望視されている。【０００３】
上記に示す次世代移動通信システムでは、上下リンク共に無線リソースが、複数のユーザ間で共有されるチャネル(shared  channel)の形式で、各ユーザの通信状況等に応じて適宜割り当てられる。割当内容を決定する処理はスケジューリングと呼ばれる。上りリンクのスケジューリングを適切に行うため、各ユーザ装置はパイロットチャネルを基地局に送信し、基地局はその受信品質によって上りリンクのチャネル状態を評価する。また、下りリンクのスケジューリングを行うため、基地局はユーザ装置にパイロットチャネルを送信し、ユーザ装置はそのパイロットチャネルの受信品質に基づいて、チャネル状態を示す情報（CQI:  Channel  Quality  Indicator）を基地局に報告する。各ユーザ装置から報告されたCQIに基づいて、基地局は移動局の下りリンクのチャネル状態を評価し、下りリンクのスケジューリングを行う。【０００４】
図１はそのような移動通信システムの概念図を示す。本システムは、上位装置に接続されたアクセスゲートウエイaGWと、アクセスゲートウエイaGWに接続された基地局eNBと、基地局eNBと無線通信を行うユーザ装置UE(User Equipment)とを含む。S1はアクセスゲートウエイaGW及び基地局eNB間のインタフェースを表す。X2は基地局間のインタフェースを表す。ユーザ装置UEはハンドオーバ（HO）を行うことで、通信を継続しながらセルを切り替えることができる。この移動通信システムでは、従来とは異なり、通信帯域に広狭いくつかの選択肢が用意され、ユーザ装置UE及び基地局eNBの双方の通信能力や空きリソース状況等に依存して、何れかの選択肢の帯域幅で通信が行われる。【０００５】
図２はシステムに３つの通信帯域が用意されている様子を模式的に示した図である。図示の例のシステムでは、20MHz、10MHz又は5MHzの通信用周波数帯域幅で通信が行われる。図中、「CCH」は共通制御信号の占める帯域を表す。CCHにはセルに在圏する全てのユーザ装置に関連する一般的な情報が含まれる。個々のユーザ装置に特化した制御情報には個別制御信号用のチャネル（図２には図示されていない）が使用される。【０００６】
図３のケース１に示される例では、セルＡの送信帯域幅が20MHzであり、セルＡに在圏するユーザ装置UEの受信帯域幅が10MHzであり、ユーザ装置UEはBw1で示される10MHzの帯域を用いて通信を行っている。セルＡでは10MHzのBw1だけでなく10MHzのBw2もサポートされているので、例えば通信状況によってはユーザ装置UEは帯域をBw1からBw2に変更した方がより良い品質で通信できるかもしれない。そのような可能性を検討するには、Bw1で通信中のユーザ装置UEは、別帯域Bw2で送信されている共通制御信号CCHからチャネル測定用信号を受信し、その受信品質の良否で帯域変更（帯域間ハンドオーバ）を行うか否かを決定する必要がある。図示の例では、共通制御信号CCHはBw1及びBw2の境界を含む帯域で送信されているので、Bw1で通信中のユーザ装置UEはBw2でのチャネル測定用信号の周波数情報をCCHから取得することができ、意図されるチャネル測定を行うことができる。この種の移動通信システムは、例えば非特許文献１，２に示されている。【０００７】
図３のケース２に示される例では、セルＢ及びセルＣの送信帯域幅が10MHzであり、セルＢに在圏するユーザ装置UEの受信帯域幅も10MHzであり、ユーザ装置UEはBw1で示される10MHzの帯域を用いて通信を行っている。セルＣはBw2の帯域を使用している。ケース１と同様に、通信状況によってはユーザ装置UEは帯域をBw1からBw2に変更し、ハンドオーバを行った方がより良い品質で通信できるかもしれない。この場合も、Bw1で通信中のユーザ装置UEは、別帯域Bw2で送信されている共通制御信号CCHからチャネル測定用信号を受信し、その受信品質の良否で帯域変更（帯域間ハンドオーバ）を行うか否かを決定する必要がある。ただし、ケース２の場合はケース１の場合とは異なり、Bw1で通信中のユーザ装置UEはBw2でのチャネル測定用信号の周波数情報をBw1内のCCHから取得することはできない。Bw2でのチャネル測定用信号の周波数情報が未知であったとすると、そのことに起因して、ユーザ装置UEは帯域間ハンドオーバを速やかに行うことが困難になるおそれがある。【０００８】
この場合に、在圏セルの報知信号(BCH)により、全ての周辺セルでのチャネル測定用信号の情報が報知されていたとすると、ユーザ装置UEは必要な情報を常に取得でき、その周波数に速やかに同調し、移行先セルでのチャネル測定を行うことができるかもしれない。しかしながら報知信号用の無線リソースは比較的少なく、周辺セル全てのチャネル測定用信号の情報を報知信号で完全に包含することは困難になるおそれがある。セル半径の短縮化に伴って周辺セル数は増加する傾向にあるので、問題は益々深刻になるおそれもある。【０００９】
一方、ハンドオーバ先のセルが同一システムに属するとは限らない。将来的な移動通信システムでは、複数の異種システムが同一地域に併存する可能性があり、異なるオペレータや異なるベンダにより隣接セルでサービスが提供される可能性がある。従って各セルでのチャネル測定用信号の情報を統一的に予め決定しておくこと自体困難になるかもしれない。例えば或るシステムではシステム帯域の中央付近で共通制御信号CCHが送信されるが、別システムではシステム帯域の一端でCCHが送信されるかもしれない。
【非特許文献１】3GPP  TR25.913  V7.3.0(2006-03)
【非特許文献２】3GPP  TR25.912
【発明の開示】
【発明が解決しようとする課題】
【００１０】
本発明の課題は、周波数帯域のハンドオーバに備えてユーザ装置がどの周波数を測定すべきかをユーザ装置に簡易に通知することである。
【課題を解決するための手段】
【００１１】
本発明による基地局装置は、システム帯域の全部又は一部を用いて通信が行われる移動通信システムで使用される。基地局装置は、ユーザ装置から帯域間ハンドオーバを要求する要求信号を受信する手段と、前記要求信号に応じてハンドオーバ移行先候補の１以上の周辺基地局に指示信号を送信する手段と、前記指示信号に対する応答信号を１以上の周辺基地局から受信する手段と、ハンドオーバ移行先候補でのチャネル測定用信号の周波数情報を少なくとも含む個別制御信号を、前記応答信号に応じて前記ユーザ装置に送信する手段とを有する。前記指示信号に応じて前記チャネル測定用信号が１以上の周辺基地局から前記周波数情報の周波数で送信される。
【発明の効果】
【００１２】
本発明によれば、周波数帯域のハンドオーバに備えてユーザ装置がどの周波数を測定すべきかをユーザ装置に簡易に通知することができる。
【図面の簡単な説明】
【００１３】
【図１】移動通信システムの概略図を示す。
【図２】システム帯域及び共通制御チャネルのマッピング例を示す図である。
【図３】帯域間ハンドオーバにおける問題点を説明するための説明図である。
【図４】本発明の一実施例によるユーザ装置の機能ブロック図を示す。
【図５】本発明の一実施例による基地局装置の機能ブロック図を示す。
【図６】本発明の第１実施例による動作例のフローチャート（その１）を示す。
【図７】本発明の第１実施例による動作例のフローチャート（その２）を示す。
【図８】本発明の第２実施例による動作例のフローチャートを示す。
【図９】CCHのマッピング例を模式的に描いた図を示す。
【図１０】CCHの別のマッピング例を模式的に描いた図を示す。
【図１１】本発明の第４実施例による動作例のフローチャートを示す。
【符号の説明】
【００１４】
aGW  アクセスゲートウエイ
eNB  基地局
UE  ユーザ装置
５１  屋外受信増幅器
５２  屋外受信増幅器監視制御装置
５３  上位装置／周辺基地局
４０２  管理機能部
４０４  ベースバンド処理部
４０６  RF部
４４１  オーディオインターフェース部
４４２  ベースバンド及びRF制御部
４４３  L1モデム及びチャネルコーデック部
４６１  アナログフロントエンド部
４６２  周波数シンセサイザ
４６３  送信部（TX）
４６４  電力増幅部（PA）
４６５  アンテナに接続されたデュプレクサ（DUP）
４６６  受信部（RX）
５１０  第１機能部
５２０  第２機能部
５１１  呼処理制御機能部
５１２  伝送路インタフェース機能部
５１３  ベースバンド処理機能部
５１４  周辺基地局情報記憶部
５１５，５２１  インタフェース機能部
５２２  無線送受信機能部
５２３  送信増幅器
【発明を実施するための最良の形態】
【００１５】
本発明の一形態によれば、ユーザ装置UEからのハンドオーバリクエストを契機に、ハンドオーバの移行元及び移行先候補の基地局間で通信が行われ、移行先候補でのチャネル測定用信号の情報が移行元からユーザ装置に通知される。移行先候補の各々は移行元からの指示信号に応じて、チャネル測定用信号を無線送信する。このチャネル測定用信号を受信することで、ユーザ装置はチャネル測定を行うことができる。従って、移行元の基地局は、移行先候補全てのチャネル測定用信号の情報を報知しなくても、別帯域のチャネル測定に必要な情報をユーザ装置に簡易且つ適切に通知することができる。【００１６】
１以上の周辺基地局各々から送信されるチャネル測定用信号の周波数情報は、要求信号の受信前に既知であってもよいし、未知であってもよい。既知であった場合は、応答信号に周波数情報が含まれていなくてもよい点で有利である。未知であってもよいことは、様々なオペレータによるシステムが共存する地域で適切な周波数情報を的確に通知できる点で好ましい。【００１７】
個別制御信号は、チャネル測定用信号の周波数情報だけでなく、送信タイミング情報を含んでもよい。【００１８】
システム帯域に複数の周波数ブロックが含まれ、各周波数ブロックには複数の周波数リソースブロックが含まれ、当該基地局装置は、ユーザ装置に対して決定した周波数ブロック内で１以上の周波数リソースブロックをユーザ装置に割り当ててもよい。このような移動通信システムでは無線リソースの有効活用等の観点から帯域間ハンドオーバを簡易に行わせることが特に重要になる。【００１９】
ハンドオーバの要求信号にユーザ装置の在圏セルを示す情報が含まれていてもよい。これは、ユーザ装置と、ハンドオーバ元基地局と、周辺基地局との対応関係を速やかに確定できる観点から好ましい。【００２０】
少なくとも１つの周辺基地局でチャネル測定用信号の無線リソースが探索され、探索結果により決定された無線リソースを示す情報が、個別制御信号に含まれてもよい。これは、より相応しい無線リソースがチャネル測定に使用される機会を増やす観点から好ましい。【００２１】
送信タイミング情報により、チャネル測定用信号は、原則として断続的な所定の期間内に無線送信されることが示されてもよい。更に、前記指示信号が送信された場合には、チャネル測定用信号は断続的な所定の期間内でなくても例外的に無線送信されてもよい。これは、ハンドオーバを速やかに完了させる観点から好ましい。
【実施例１】
【００２２】
図４は本発明の一実施例によるユーザ装置（UE、MS、MH等と言及されてもよい。）の機能ブロック図を示す。図４に示すユーザ装置は典型的な移動端末の例であるが、可搬形移動局・固定端末でもよい。ユーザ装置は、管理機能部４０２、ベースバンド処理部４０４及びRF部４０６を有する。【００２３】
ベースバンド処理部４０４は、オーディオインターフェース部４４１、ベースバンド及びRF制御部４４２、L1モデム及びチャネルコーデック部４４３を有する。RF部４０６は、アナログフロントエンド部４６１、周波数シンセサイザ４６２、送信部（TX）４６３、電力増幅部（PA）４６４、アンテナに接続されたデュプレクサ（DUP）４６５、受信部（RX）４６６を有する。【００２４】
管理機能部４０２は、ベースバンド処理部４０４及びRF部４０６の動作を制御する。具体的には、無線チャネルの管理、品質の管理、モビリティの管理等が行われる。後述の帯域間ハンドオーバにつながるチャネル測定や、ハンドオーバの要求信号の作成等も行われる。【００２５】
ベースバンド処理部４０４のオーディオインターフェース部４４１は、スピーカ及びマイク４４４に接続され、音声信号をやりとりするためのインターフェース機能を発揮する。【００２６】
ベースバンド及びRF制御部４４２は通信帯域を適切に調整する。【００２７】
L1モデム及びチャネルコーデック部４４３は、送信する情報にチャネル符号化（誤り訂正符号化）、データ変調等の処理行い、ベースバンドの送信シンボルを生成する。L1モデム及びチャネルコーデック部は、受信したベースバンド信号に、フーリエ変換、データ復調、チャネル復号化（誤り訂正）等の処理を行い、送信された情報を復元する。【００２８】
RF部４０６のアナログフロントエンド部４６１は、ベースバンドの送信信号についてディジタルアナログ変換及び帯域制限等の処理を行う。またアナログフロントエンド部４６１は、受信したアナログ信号について帯域制限及びアナログディジタル変換等の処理を行い、ベースバンドの信号に変換する。【００２９】
周波数シンセサイザ４６２は、送信機を送信周波数に及び受信機を受信周波数に同調させるように所定の周波数を供給する。【００３０】
送信部（TX）４６３は送信信号の直交変調及び無線周波数信号への周波数変換等を行う。【００３１】
電力増幅部（PA）４６４は送信信号の電力をアンテナ入力レベルまで増幅する。【００３２】
デュプレクサ（DUP）４６５は送信信号及び受信信号を適切に分離する。【００３３】
受信部（RX）４６６は受信信号の直交復調、ベースバンドアナログ信号への変換等の処理を行う。【００３４】
図５は本発明の一実施例による基地局（NodeB、eNB、BS、BTS等と言及されてもよい。）の機能ブロック図を示す。基地局は、第1機能部５１０及び第２機能部５２０を有する。【００３５】
第１機能部５１０は、呼処理制御機能部５１１、伝送路インタフェース機能部５１２、ベースバンド処理機能部５１３、周辺基地局情報記憶部５１４、インタフェース機能部５１５を有する。第２機能部５２０は、インタフェース機能部５２１、無線送受信機能部５２２、送信増幅器５２３を有する。【００３６】
呼処理制御機能部５１１は、呼処理に関する制御を行う。具体的には、無線チャネルの管理、物理回線管理、品質管理等が行われる。上下リンクの無線リソースの割当内容を計画するスケジューリングもここで行われる。【００３７】
伝送路インタフェース機能部５１２は上位装置又は他の基地局５３に有線で接続され（光学的でも電気的でもよい）、上位装置等５３と基地局間のインタフェース機能を発揮する。【００３８】
ベースバンド処理機能部５１３は、無線送信信号のチャネル符号化（誤り訂正符号化）、データ変調、逆フーリエ変換等の処理を行う。ベースバンド処理機能部５１３は、無線受信信号のチャネル復号化（誤り訂正）、データ復調等の処理を行う。【００３９】
周辺基地局情報記憶部５１４は、自装置と周辺基地局との対応関係を記憶する。周辺基地局情報記憶部は、必要に応じて、周辺基地局で使用されているチャネル測定用信号の情報（周波数や送信タイミング等）を記憶してもよい。【００４０】
インタフェース機能部５１５は、第１機能部５１０及び第２機能部５２０間でインタフェース機能を発揮する。このインタフェース機能部５１５は、第１機能部及び第２機能部が場所的にかなり離れているような場合に特に有利である。【００４１】
第２機能部５２０のインタフェース機能部５２１も、第１機能部５１０のインタフェース機能部５１５と同様に、それらの間でインタフェース機能を発揮する。【００４２】
無線送受信機能部５２２は、ベースバンドの送信信号についてディジタルアナログ変換、直交変調等の処理を行う。無線送受信機能部５２２は、受信信号について同期検波、直交復調、アナログディジタル変換等の処理を行う。【００４３】
送信増幅器５２３は送信信号の電力をアンテナ入力レベルまで増幅する。【００４４】
屋外受信増幅器５１は低雑音増幅器で構成される。【００４５】
屋外受信増幅器監視制御装置５２は、屋外受信増幅器を通じて受信された信号を監視する。【００４６】
図６及び図７は本発明の第１実施例による動作例のフローチャート（その１及びその２）を示す。概して、１桁のステップ番号は本発明には比較的重要でない手順を概略的に示す。１０番台のステップ番号はユーザ装置UEで行われる又はそこから発せられる手順を示す。２０番台のステップ番号はハンドオーバ元基地局eNB#1で行われる又はそこから発せられる手順を示す。３０番台のステップ番号はハンドオーバ先基地局eNB#2で行われる又はそこから発せられる手順を示す。４０番台のステップ番号はアクセスゲートウエイaGWで行われる又はそこから発せられる手順を示す。【００４７】
図６のステップＳ１では、セルセットアップ手順が実行され、或るアクセスゲートウエイaGWの配下に基地局eNB#1,eNB#2が適切に接続されるように各種のパラメータ設定等が行われる。図示の例では説明の簡明化を図るため基地局は２つしか登場していないが、２より多くの基地局が参加してもよい。セルセットアップ手順は、基地局が新規に又は再び立ち上げられる場合、リセットされた場合、使用帯域が変更された場合（例えば、20MHzから10MHzへの変更）、周辺基地局数が増減した等の場合になされてよい。【００４８】
ステップＳ４１では、チャネル測定信号用の情報（セルサーチ用の周波数及びタイミング）がアクセスゲートウエイ aGWから各基地局eNB#1,eNB#2に通知される。本実施例では、後述の第２実施例と異なり、チャネル測定用信号の情報がアクセスゲートウエイaGWで一元管理され、セルセットアップ時に決定される。【００４９】
ステップＳ２１では、基地局eNB#1に、チャネル測定用信号をどのように送信すべきかを示す情報（セルサーチ用の周波数及びタイミング）が通知され、その情報が基地局eNB#1に記憶される。【００５０】
ステップＳ３１では、基地局eNB#2に、チャネル測定用信号をどのように送信すべきかを示す情報（セルサーチ用の周波数及びタイミング）が通知され、その情報が基地局eNB#2に記憶される。【００５１】
図７のステップＳ２は、或るユーザ装置UEの呼(call)が生起される呼確立状態を示す。これによりユーザ装置UEは或る基地局eNB#1から無線リソースの割当を受けることで無線通信を行うことができるようになる。或る基地局周辺の基地局eNB#2はこの時点ではユーザ装置UEの通信に関与していないが、それらが互いに周辺基地局同士であることは確認される。【００５２】
ユーザ装置UEは基地局eNB#1のセル内で通信を行いながら、受信信号品質を測定し、品質劣化のような所定のハンドオーバイベントが生じると、その旨を示すハンドオーバ要求信号−具体的にはメジャーメントレポート(Measurement  Report)メッセージを作成する。【００５３】
ステップＳ１１では、ユーザ装置UEはハンドオーバ要求信号を接続中の基地局eNB#1に送信する。【００５４】
ステップＳ２２では、ハンドオーバ元の基地局eNB#1が、ハンドオーバ要求信号に応じて周辺基地局eNB#2に或る指示信号を送信する。指示信号は、チャネル測定用信号の無線送信開始を周辺基地局に指示する信号である。指示信号は周辺基地局全てに送信されてもよいし、ユーザ装置の位置等を考慮して一部の周辺基地局だけに限定して送信されてもよい。ハンドオーバ要求信号はユーザ装置を特定する識別情報UEID及びハンドオーバが必要なことを示す情報に加えて、そのユーザ装置UEの在圏するセルが何であるかを示す情報（接続基地局がeNB#1であることを示す情報）を含むことが好ましい。ハンドオーバしようとしているユーザ装置UEIDと、ハンドオーバ元基地局eNB#1と、周辺基地局eNB#2との対応関係を速やかに特定できるからである。この対応関係を利用して、各周辺基地局でのチャネル測定用信号の情報が後述の個別制御信号に含められる。ハンドオーバ要求にeNB#1を示す情報が含まれていなかったならば、そのユーザ装置が自セル内のユーザ装置であることをハンドオーバ要求信号受信後に確認しなければならず、その分だけ手間が増えるからである。【００５５】
ステップＳ３２では、指示信号に対する応答信号が周辺基地局eNB#2からハンドオーバ元基地局eNB#1に送信される。【００５６】
ステップＳ２３では無線リソースのスケジューリングが行われる。一般に個別制御信号は、ユーザデータ信号の伝送用に上下リンクの無線リソースをどのように割り当てるかを示すスケジューリング情報を通知する目的でも使用される。移行元の基地局eNB#1は、ユーザ装置UEが別帯域の周波数に移行してチャネル測定を行うことができるように、周辺基地局eNB#2のチャネル測定用信号の周波数及びタイミングを避けて、該ユーザ装置用の無線リソースのスケジューリングを行う。このようなスケジューリング情報を必要に応じて含み、ハンドオーバ先のセル（周辺基地局eNB#2）で使用されているチャネル測定用信号の情報（周波数情報及び送信タイミング情報等）を含む個別制御信号が作成される。【００５７】
ステップＳ２４では、そのようにして作成された個別制御信号がハンドオーバ元基地局eNB#1からユーザ装置UEに無線送信される。この個別制御信号はメジャーメントコントロール(Measurement  Control)と呼ばれてもよい。なお、ハンドオーバ先のセル（周辺基地局eNB#2）で使用されるチャネル測定用信号の情報は、ステップＳ３２の応答信号中に含まれていてもよいし、含まれていなくてもよい。後者の場合は、図６のステップＳ４１で、基地局eNB#1は、自局でのチャネル測定用信号の情報だけでなく、周辺基地局eNB#2でのチャネル測定用信号の情報も記憶しておく必要がある。【００５８】
ステップＳ１２では、個別制御信号で通知された情報に従って、ユーザ装置UEは受信周波数を、移行先セルでのチャネル測定用信号に合わせ、チャネル測定を行う。送信タイミングも指定されていたならば、そのタイミングでチャネル測定用信号を受信するように制御が行われる。チャネル測定用信号として、具体的にはパイロット信号が利用されてもよいが、別の信号が利用されてもよい。【００５９】
ステップＳ３３に示されているように、チャネル測定用信号は、所定の周波数及びタイミングで移行先基地局eNB#2から無線送信される。上述したように、この所定の周波数及びタイミングは、ステップＳ４１の時点で決まっている。この場合において、チャネル測定用信号が、移行元基地局からの指示信号によらず、所定の周波数及びタイミングで移行先基地局eNB#2から実際に無線送信されてもよい。或いは、チャネル測定用信号の周波数及びタイミングが決められていたとしても、移行元基地局からの指示信号がなければチャネル測定用信号は無線送信されず、指示信号が移行先基地局で受信されて始めてチャネル測定用信号が、所定の周波数及びタイミングで移行先基地局eNB#2から無線送信されてもよい。
【実施例２】
【００６０】
第1実施例では、周辺基地局におけるチャネル測定用信号の情報は、ハンドオーバ要求信号の受信前にハンドオーバ元基地局eNB#1で既知であってよい。しかしながら様々なシステム、オペレータ、ベンダ等が多種多様に存在する状況では、事前にそのような情報を全て用意することは容易でない。本発明の第２実施例はこのような問題にも対処できる。【００６１】
図８は本発明の第２実施例による動作例を示すフローチャートを示す。概略的には本フローチャートは図７に示されるフローチャートと同様である。本実施例では、図６のステップＳ４１のようにチャネル測定用信号の情報が基地局の上位装置（アクセスゲートウエイaGW）で一元管理されていない。従ってハンドオーバ元の基地局eNB#1はハンドオーバの要求信号の受信前には、周辺基地局におけるチャネル測定用信号の情報を知らない。この情報は、移行元基地局eNB#1からの指示信号に対する応答信号に含まれている必要がある（ステップＳ３２１）。この点、応答信号にその情報が含まれていてもいなくてもよかった第１実施例と特に異なる。移行元基地局eNB#1は、１以上の周辺基地局から応答信号を受信することで、周辺基地局におけるチャネル測定用信号の情報を収集することができる。以下図７で説明済みの手順と同様に、その情報を含む個別制御信号が作成及びスケジューリングされ（ステップＳ２３）、送信される（ステップＳ２４）。
【実施例３】
【００６２】
共通制御信号CCHに含まれるチャネル測定用信号の情報は、周波数情報及び送信タイミング情報の双方又は一方で特定されてもよい。【００６３】
図９は時間及び周波数双方の観点から共通制御信号CCHのマッピング例を模式的に示している。図示の例では、セルＡで周波数fAで共通制御信号CCHが連続的に送信される様子を示す。システム帯域は例えば20MHzや10MHzのようなセルでサポートされている帯域である。上述したようにユーザ装置UEはシステム帯域の全部又は一部の周波数帯域で、1以上のリソースブロック（RB:  Resource  Block）を利用して通信を行う。リソースブロックの割り当て計画は基地局のスケジューリングにより行われる。周波数軸方向の無線リソースの割当単位はリソースブロック１つ分（RB）であり、時間軸方向の割当単位は送信時間間隔（TTI:  Transmission  Time  Interval）１つ分である。共通制御信号CCHが図９に示されるように送信される場合には、ユーザ装置に通知されるチャネル測定用信号の情報は、周波数情報（周波数がfAであることを示す情報）だけでよい。【００６４】
図１０は共通制御信号CCHの別のマッピング例を示す。図示の例では、共通制御信号CCHは図９の場合と同じ周波数fAで送信されるが、常に連続的に送信されるわけではなく、4TTI毎に間欠的に送信される点が異なる。このような場合、ユーザ装置に通知されるチャネル測定用信号の情報は、周波数情報（周波数がfAであることを示す情報）に加えて、送信タイミング情報（送信タイミングが4TTI毎に間欠的であることを示す情報）を含んでよい。但し、最大4TTIの期間にわたって無意味なチャネル測定がなされてよい場合には、周波数情報だけがユーザ装置に通知されてもよい。【００６５】
図１０に示される例では、共通制御信号CCHは4TTI毎に断続的に送信されるので、有意義なチャネル測定を行うタイミングは、最大4TTIだけ待機させられてしまう。このような遅延はハンドオーバを遅らせることになるので、速やかにハンドオーバを行う観点からは好ましくない。ハンドオーバを速やかに行う観点からは、例えば、共通制御信号CCHが原則として送信されない4TTIの期間内であったとしても、ハンドオーバ移行元基地局から指示信号を受けた場合には、例外的にその周波数fAでチャネル測定用信号が送信されることが有利である。図１０では「P」で示される無線リソースが例外的に共通制御信号CCHの送信に利用されている。このように無線リソースの割当内容をスケジューリングすることで、ハンドオーバの遅延に関する問題に対処することができる。
【実施例４】
【００６６】
上記の実施例では、チャネル測定用信号が共通制御信号CCHに含まれることを前提としていたので、チャネル測定用信号の周波数及び／又は送信タイミングは固定的であることが想定されていた。しかしながら少なくともチャネル測定用信号に関しては、セル内で固定されていなくてもよい。言い換えればチャネル測定に使用される信号は、空きリソースのどれを用いて行われてもよいはずである。本発明の第４実施例では、チャネル測定用信号に使用される無線リソースが、応答信号の送信前には確定していない例が説明される。【００６７】
図１１は第４実施例による動作例のフローチャートを示す。図中のステップＳ３１１は図８のステップＳ２２に対応し、ステップＳ３２１及びＳ３３は図８と同じである。従ってステップＳ３１２、Ｓ３１３及びＳ３１４が、図８のステップＳ２２とＳ３２１の間で行われ、これらは移行先候補基地局eNB#2で行われる。【００６８】
ステップＳ３１１では、ユーザ装置からのハンドオーバ要求に起因して、移行元基地局eNB#1から指示信号が受信される。【００６９】
ステップＳ３１２では、空きリソースの有無が確認される。例えば図１０に示されるように共通制御信号（チャネル測定用信号を含む）がマッピングされる場合に、「Ｑ」で示されるような空きリソースの有無が調べられる。空きリソースが発見されたならば、フローはステップＳ３１３に進む。【００７０】
ステップＳ３１３では、空きリソースを特定する周波数情報及び送信タイミング情報（図示の例では、周波数がfQであり、送信タイミングがtQであることを示す情報）が、基地局eNB#1への応答信号に含められる。【００７１】
一方、ステップＳ３１２で空きリソースが発見されなかったならば、フローはステップＳ３１４に進む。【００７２】
ステップＳ３１４では、基地局eNB#2でチャネル測定用信号に固定的に確保されているリソースを示す情報（図示の例では、周波数がfAであり、4TTI毎に断続的に送信されることを示す情報）が、基地局eNB#1への応答信号に含められる。【００７３】
ステップＳ３２１では、空きリソース又は所定のリソースを指定する応答信号が基地局eNB#1に送信される。【００７４】
ステップＳ３３では応答信号で指定された内容に従ってチャネル測定用信号が無線送信される。【００７５】
空きリソースの探索対象は、無線リソースの割当対象全体でもよいし、その内の一部に限定されてもよい。例えば、図１０の例において、空きリソースの探索がCCHの送信されない4TTIの期間に限定され、CCHが送信される場合にはCCHのチャネル測定用信号が利用されてもよい。更には、ハンドオーバを速やかに完了させる観点からは、空きリソースの有無によらず、何らかの無線リソースがチャネル測定用信号に優先的にスケジューリングされてもよい。【００７６】
以上、本発明の好ましい実施例が説明されてきたが、本発明はこれらに限定されるわけではなく、本発明の要旨の範囲内で種々の変形及び変更が可能である。特に上記の説明で使用された数値例は断りがない限り単なる一例に過ぎず、適切な如何なる数値が使用されてもよい。説明の便宜上、本発明が幾つかの実施例に分けて説明されてきたが、各実施例の区分けは本発明に本質的ではなく、２以上の実施例が必要に応じて組み合わされてもよい。
【図１】
2008056411.tif 000003
【図２】
2008056411.tif 000004
【図３】
2008056411.tif 000005
【図４】
2008056411.tif 000006
【図５】
2008056411.tif 000007
【図６】
2008056411.tif 000008
【図７】
2008056411.tif 000009
【図８】
2008056411.tif 000010
【図９】
2008056411.tif 000011
【図１０】
2008056411.tif 000012
【図１１】
2008056411.tif 000013
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
システム帯域の全部又は一部を用いて通信が行われる移動通信システムで使用される基地局装置であって、
ユーザ装置から帯域間ハンドオーバを要求する要求信号を受信する手段と、
前記要求信号に応じてハンドオーバ移行先候補の１以上の周辺基地局に指示信号を送信する手段と、
前記指示信号に対する応答信号を１以上の周辺基地局から受信する手段と、
ハンドオーバ移行先候補でのチャネル測定用信号の周波数情報を少なくとも含む個別制御信号を、前記応答信号に応じて前記ユーザ装置に送信する手段と、
を有し、前記指示信号に応じて前記チャネル測定用信号が１以上の周辺基地局から前記周波数情報の周波数で送信される
ことを特徴とする基地局装置。
【請求項２】
１以上の周辺基地局各々から送信されるチャネル測定用信号の周波数情報が、前記要求信号の受信前に既知である
ことを特徴とする請求項１記載の基地局装置。
【請求項３】
１以上の周辺基地局各々から送信されるチャネル測定用信号の周波数情報が、前記要求信号の受信前には未知である
ことを特徴とする請求項１記載の基地局装置。
【請求項４】
前記個別制御信号は、チャネル測定用信号の周波数情報及び送信タイミング情報を含む
ことを特徴とする請求項１記載の基地局装置。
【請求項５】
前記システム帯域に複数の周波数ブロックが含まれ、各周波数ブロックには複数の周波数リソースブロックが含まれ、当該基地局装置は、ユーザ装置に対して決定した周波数ブロック内で１以上の周波数リソースブロックをユーザ装置に割り当てる
ことを特徴とする請求項１記載の基地局装置。  
【請求項６】
前記要求信号に前記ユーザ装置の在圏セルを示す情報が含まれている
ことを特徴とする請求項１記載の基地局装置。
【請求項７】
少なくとも１つの周辺基地局でチャネル測定用信号の無線リソースが探索され、探索結果により決定された無線リソースを示す情報が、前記個別制御信号に含まれる
ことを特徴とする請求項３記載の基地局装置。
【請求項８】
前記送信タイミング情報により、前記チャネル測定用信号が断続的な所定の期間内に無線送信されることが示される請求項４記載の基地局装置。
【請求項９】
システム帯域の全部又は一部を用いて通信が行われる移動通信システムにおける基地局装置で使用される方法であって、
ユーザ装置から帯域間ハンドオーバを要求する要求信号を受信するステップと、
前記要求信号に応じてハンドオーバ移行先候補の１以上の周辺基地局に指示信号を送信するステップと、
前記指示信号に対する応答信号を１以上の周辺基地局から受信するステップと、
ハンドオーバの移行先候補でのチャネル測定用信号の周波数情報を少なくとも含む個別制御信号を、前記応答信号に応じて前記ユーザ装置に送信するステップと、
を有し、前記指示信号に応じて前記チャネル測定用信号が１以上の周辺基地局から前記周波数情報の周波数で送信される
ことを特徴とする方法。
【請求項１０】
システム帯域の全部又は一部を用いて通信が行われる移動通信システムで使用される基地局装置であって、
ユーザ装置の帯域間ハンドオーバの要求に起因してハンドオーバの移行元基地局から指示信号を受信する手段と、
少なくともチャネル測定用信号の周波数情報が前記ユーザ装置に通知されるように、前記指示信号に応じて応答信号を前記移行元基地局に送信する手段と、
前記指示信号に応じて前記チャネル測定用信号を前記周波数情報の周波数で送信する手段と、
を有し、前記チャネル測定用信号の周波数情報を少なくとも含む個別制御信号が、前記移行元基地局から前記ユーザ装置に送信される
ことを特徴とする基地局装置。
【請求項１１】
少なくとも１つの周辺基地局でチャネル測定用信号の無線リソースが探索され、探索結果により決定された無線リソースを示す情報が、前記応答信号に含まれる
ことを特徴とする請求項１０記載の基地局装置。
【請求項１２】
前記応答信号が、チャネル測定用信号の周波数情報及び送信タイミング情報を含む
ことを特徴とする請求項１０記載の基地局装置。
【請求項１３】
前記送信タイミング情報により、前記チャネル測定用信号が断続的な所定の期間内に無線送信されることが示される請求項１２記載の基地局装置。
【請求項１４】
システム帯域の全部又は一部を用いて通信が行われる移動通信システムにおける基地局装置で使用される方法であって、
ユーザ装置の帯域間ハンドオーバの要求に起因してハンドオーバの移行元基地局から指示信号を受信するステップと、
少なくともチャネル測定用信号の周波数情報が前記ユーザ装置に通知されるように、前記指示信号に応じて応答信号を前記移行元基地局に送信するステップと、
前記指示信号に応じて前記チャネル測定用信号を前記周波数情報の周波数で送信するステップと、
を有し、前記チャネル測定用信号の周波数情報を少なくとも含む個別制御信号が、前記移行元基地局から前記ユーザ装置に送信される
ことを特徴とする方法。
【請求項１５】
システム帯域の全部又は一部を用いて通信が行われる移動通信システムで使用されるユーザ装置であって、
帯域間ハンドオーバを要求する要求信号をハンドオーバの移行元基地局に送信する手段と、
１以上のハンドオーバ移行先候補でのチャネル測定用信号の周波数情報を少なくとも含む個別制御信号を、前記移行元基地局から受信する手段と、
ハンドオーバ移行先候補の１以上の周辺基地局から、前記周波数情報の周波数で前記チャネル測定用信号を受信する手段と、
を有することを特徴とするユーザ装置。
【請求項１６】
前記個別制御信号は、チャネル測定用信号の周波数情報及び送信タイミング情報を含む
ことを特徴とする請求項１５記載のユーザ装置。
【請求項１７】
前記要求信号に前記ユーザ装置の在圏セルを示す情報が含まれている
ことを特徴とする請求項１５記載のユーザ装置。
【請求項１８】
少なくとも１つの周辺基地局でチャネル測定用信号の無線リソースが探索され、探索結果により決定された無線リソースを示す情報が、前記個別制御信号に含まれる
ことを特徴とする請求項１５記載のユーザ装置。
【請求項１９】
前記送信タイミング情報により、前記チャネル測定用信号が断続的な所定の期間内に無線送信されることが示される請求項１６記載のユーザ装置。
【請求項２０】
システム帯域の全部又は一部を用いて通信が行われる移動通信システムにおけるユーザ装置で使用される方法であって、
帯域間ハンドオーバを要求する要求信号をハンドオーバの移行元基地局に送信するステップと、
１以上のハンドオーバ移行先候補でのチャネル測定用信号の周波数情報を少なくとも含む個別制御信号を、前記移行元基地局から受信するステップと、
ハンドオーバ移行先候補の１以上の周辺基地局から、前記周波数情報の周波数で前記チャネル測定用信号を受信するステップと、
を有することを特徴とする方法。
【国際調査報告】
2008056411.tif 000014
2008056411.tif 000015
2008056411.tif 000016
2008056411.tif 000017